【手続補正書】
【提出日】平成29年3月21日(2017.3.21)
【手続補正１】
【補正対象書類名】特許請求の範囲
【補正対象項目名】全文
【補正方法】変更
【補正の内容】
【特許請求の範囲】
【請求項１】
無線通信システムにおいて端末（ＵＥ）がＰＭＩ（Ｐｒｅｃｏｄｉｎｇ  Ｍａｔｒｉｘ  Ｉｎｄｉｃａｔｏｒ）を送信する方法であって、前記方法は、
前記ＰＭＩを決定することであって、前記ＵＥは、コードブックにおける１６個のプリコーディング行列の中から４個のプリコーディング行列のみを使用するように制限され、前記４個のプリコーディング行列は、前記１６個のプリコーディング行列のうちの実数値のみを含むプリコーディング行列であり、前記決定することは、前記４個のプリコーディング行列のうちの１個のプリコーディング行列を選択することを含み、前記決定されるＰＭＩは、前記４個のプリコーディング行列のうちの前記選択される１個のプリコーディング行列に対応する、ことと、
前記ＰＭＩを基地局（ＢＳ）に報告することと
を含み、
前記４個のプリコーディング行列は、プリコーディング行列Ｗ０、プリコーディング行列Ｗ２、プリコーディング行列Ｗ８、及びプリコーディング行列Ｗ１０から成り、Ｗ０、Ｗ２、Ｗ８、及びＷ１０は、以下のとおりである、
【数１】
2016518751.tif 000001
方法。
【請求項２】
前記４個のプリコーディング行列の各々は、４×４行列である、請求項１に記載の方法。
【請求項３】
前記ＰＭＩは、特定の物理上りリンク制御チャネル（ＰＵＣＣＨ）モードに従って前記ＢＳに報告される、請求項１に記載の方法。
【請求項４】
前記ＰＭＩを報告するためのペイロードサイズは、２ビットである、請求項１に記載の方法。
【請求項５】
前記ＢＳから構成情報を受信することをさらに含み、前記構成情報は、前記ＵＥが前記１６個のプリコーディング行列の中から前記４個のプリコーディング行列のみを使用するように制限されていることを表す、請求項１に記載の方法。
【請求項６】
前記ＵＥと前記ＢＳとの間のチャネル状態を測定することをさらに含み、前記ＰＭＩは、前記チャネル状態に基づいて決定される、請求項１に記載の方法。
【請求項７】
無線通信システムにおいてＰＭＩ（Ｐｒｅｃｏｄｉｎｇ  Ｍａｔｒｉｘ  Ｉｎｄｉｃａｔｏｒ）を送信する端末（ＵＥ）であって、前記ＵＥは、
ＲＦ（Ｒａｄｉｏ  Ｆｒｅｑｕｅｎｃｙ）ユニットと、
プロセッサと
を備え、
前記プロセッサは、
前記ＰＭＩを決定することであって、前記ＵＥは、コードブックにおける１６個のプリコーディング行列の中から４個のプリコーディング行列のみを使用するように制限され、前記４個のプリコーディング行列は、前記１６個のプリコーディング行列のうちの実数値のみを含むプリコーディング行列であり、前記決定することは、前記４個のプリコーディング行列のうちの１個のプリコーディング行列を選択することを含み、前記決定されるＰＭＩは、前記４個のプリコーディング行列のうちの前記選択される１個のプリコーディング行列に対応する、ことと、
前記ＰＭＩを基地局（ＢＳ）に報告するように前記ＲＦユニットを制御することと
を実行するように構成され、
前記４個のプリコーディング行列は、プリコーディング行列Ｗ０、プリコーディング行列Ｗ２、プリコーディング行列Ｗ８、及びプリコーディング行列Ｗ１０から成り、Ｗ０、Ｗ２、Ｗ８、及びＷ１０は、以下のとおりである、
【数２】
2016518751.tif 000002
ＵＥ。
【請求項８】
無線通信システムにおいて基地局（ＢＳ）がＰＭＩ（Ｐｒｅｃｏｄｉｎｇ  Ｍａｔｒｉｘ  Ｉｎｄｉｃａｔｏｒ）を受信する方法であって、前記方法は、
端末（ＵＥ）から前記ＰＭＩを受信することであって、前記ＵＥは、コードブックにおける１６個のプリコーディング行列の中から４個のプリコーディング行列のみを使用するように制限され、前記４個のプリコーディング行列は、前記１６個のプリコーディング行列のうちの実数値のみを含むプリコーディング行列であり、前記ＰＭＩは、前記４個のプリコーディング行列のうちの１個のプリコーディング行列を選択することによって決定され、前記決定されるＰＭＩは、前記４個のプリコーディング行列のうちの前記選択される１個のプリコーディング行列に対応する、ことと、
前記ＰＭＩに基づいてプリコーディング行列を決定することと、
前記決定されたプリコーディング行列を適用することによって、４個の送信アンテナポートを介してデータ信号を送信することと
を含み、
前記４個のプリコーディング行列は、プリコーディング行列Ｗ０、プリコーディング行列Ｗ２、プリコーディング行列Ｗ８、及びプリコーディング行列Ｗ１０から成り、Ｗ０、Ｗ２、Ｗ８、及びＷ１０は、以下のとおりである、
【数３】
2016518751.tif 000003
方法。
【請求項９】
前記４個のプリコーディング行列の各々は、４×４行列である、請求項８に記載の方法。
【請求項１０】
前記ＰＭＩを受信するためのペイロードサイズは、２ビットである、請求項８に記載の方法。
【請求項１１】
前記ＵＥに構成情報を送信することをさらに含み、前記構成情報は、前記ＵＥが前記１６個のプリコーディング行列の中から前記４個のプリコーディング行列のみを使用するように制限されていることを表す、請求項８に記載の方法。
【請求項１２】
無線通信システムにおいてＰＭＩ（Ｐｒｅｃｏｄｉｎｇ  Ｍａｔｒｉｘ  Ｉｎｄｉｃａｔｏｒ）を受信する基地局（ＢＳ）であって、前記ＢＳは、
ＲＦ（Ｒａｄｉｏ  Ｆｒｅｑｕｅｎｃｙ）ユニットと、
プロセッサと
を備え、
前記プロセッサは、
端末（ＵＥ）から前記ＰＭＩを受信するように前記ＲＦユニットを制御することであって、前記ＵＥは、コードブックにおける１６個のプリコーディング行列の中から４個のプリコーディング行列のみを使用するように制限され、前記４個のプリコーディング行列は、前記１６個のプリコーディング行列のうちの実数値のみを含むプリコーディング行列であり、前記ＰＭＩは、前記４個のプリコーディング行列のうちの１個のプリコーディング行列を選択することによって決定され、前記決定されるＰＭＩは、前記４個のプリコーディング行列のうちの前記選択される１個のプリコーディング行列に対応する、ことと、
前記ＰＭＩに基づいてプリコーディング行列を決定することと、
前記決定されたプリコーディング行列を適用することによって４個の送信アンテナポートを介してデータ信号を送信するように前記ＲＦユニットを制御することと
を実行するように構成され、
前記４個のプリコーディング行列は、プリコーディング行列Ｗ０、プリコーディング行列Ｗ２、プリコーディング行列Ｗ８、及びプリコーディング行列Ｗ１０から成り、Ｗ０、Ｗ２、Ｗ８、及びＷ１０は、以下のとおりである、
【数４】
2016518751.tif 000004
ＢＳ。
【手続補正２】
【補正対象書類名】明細書
【補正対象項目名】００３４
【補正方法】変更
【補正の内容】
【００３４】
【化１７】
2016518751.tif 000005
本発明について前述した一般的な説明と後述する詳細な説明は例示的なものであり、請求項に記載の発明に関する更なる説明のためのものである。
本発明は、例えば、以下を提供する。
（項目１）
無線通信システムにおいて端末がチャネル状態情報（ＣＳＩ）を送信する方法であって、
１６個のプリコーディング行列を含む４アンテナポート用のコードブックをサブサンプリング（ｓｕｂｓａｍｐｌｉｎｇ）するステップと、
前記サブサンプリングされたコードブックに基づいてＣＳＩをフィードバックするステップと、
を有し、
ＲＩ（Ｒａｎｋ  ｉｎｄｉｃａｔｏｒ）が４である場合、前記サブサンプリングされたコードブックは、前記１６個のプリコーディング行列のうち、インデックス０を有する第１プリコーディング行列、インデックス２を有する第３プリコーディング行列、インデックス８を有する第９プリコーディング行列、及びインデックス１０を有する第１１プリコーディング行列を含む、チャネル状態情報送信方法。
（項目２）
前記第１プリコーディング行列は次のように構成され、
【化２０１】
2016518751.tif 000006
前記第３プリコーディング行列は次のように構成され、
【化２０２】
2016518751.tif 000007
前記第９プリコーディング行列は次のように構成され、
【化２０３】
2016518751.tif 000008
前記第１１プリコーディング行列は次のように構成される、
【化２０４】
2016518751.tif 000009
項目１に記載のチャネル状態情報送信方法。
（項目３）
前記サブサンプリングステップは、次の式を用いて、前記４アンテナポート用のコードブックをサブサンプリングし、
【化２０５】
2016518751.tif 000010
前記ＩＰＭＩ２は、０乃至３のいずれかの値を有するプリコーディング行列のインデックスを表す、項目１に記載のチャネル状態情報送信方法。
（項目４）
前記サブサンプリングステップは、前記１６個のプリコーディング行列のうち、実数値のみを含むプリコーディング行列を対象にサブサンプリングする、項目１に記載のチャネル状態情報送信方法。
（項目５）
前記サブサンプリングステップは、前記１６個のプリコーディング行列のうち、ＢＰＳＫ（Ｂｉｎａｒｙ  Ｐｈａｓｅ  Ｓｈｉｆｔ  Ｋｅｙｉｎｇ）変調方法に対応するプリコーディング行列を対象にサブサンプリングする、項目１に記載のチャネル状態情報送信方法。
（項目６）
前記サブサンプリングステップは、前記１６個のプリコーディング行列のうち、Ｘ−ｐｏｌ（ｃｒｏｓｓ  ｐｏｌａｒｉｚａｔｉｏｎ）アンテナに対応する値からなるプリコーディング行列を対象にサブサンプリングする、項目１に記載のチャネル状態情報送信方法。
（項目７）
前記１６個のプリコーディング行列のうち、第２プリコーディング行列は次のように構成され、
【化２０６】
2016518751.tif 000011
第４プリコーディング行列は次のように構成され、
【化２０７】
2016518751.tif 000012
第５プリコーディング行列は次のように構成され、
【化２０８】
2016518751.tif 000013
第６プリコーディング行列は次のように構成され、
【化２０９】
2016518751.tif 000014
第７プリコーディング行列は次のように構成され、
【化２１０】
2016518751.tif 000015
第８プリコーディング行列は次のように構成され、
【化２１１】
2016518751.tif 000016
第１０プリコーディング行列は次のように構成され、
【化２１２】
2016518751.tif 000017
第１２プリコーディング行列は次のように構成され、
【化２１３】
2016518751.tif 000018
第１３プリコーディング行列は次のように構成され、
【化２１４】
2016518751.tif 000019
第１４プリコーディング行列は次のように構成され、
【化２１５】
2016518751.tif 000020
第１５プリコーディング行列は次のように構成され、
【化２１６】
2016518751.tif 000021
第１６プリコーディング行列は次のように構成される、
【化２１７】
2016518751.tif 000022
項目１に記載のチャネル状態情報送信方法。
（項目８）
無線通信システムにおいてチャネル状態情報（ＣＳＩ）を送信する端末であって、
ＲＦ（Ｒａｄｉｏ  Ｆｒｅｑｕｅｎｃｙ）ユニットと、
プロセッサと、
を備え、
前記プロセッサは、
１６個のプリコーディング行列を含む４アンテナポート用のコードブックをサブサンプリング（ｓｕｂｓａｍｐｌｉｎｇ）し、
前記サブサンプリングされたコードブックに基づいてＣＳＩをフィードバックするように構成され、
ＲＩ（Ｒａｎｋ  ｉｎｄｉｃａｔｏｒ）が４である場合、前記サブサンプリングされたコードブックは、前記１６個のプリコーディング行列のうち、インデックス０を有する第１プリコーディング行列、インデックス２を有する第３プリコーディング行列、インデックス８を有する第９プリコーディング行列、及びインデックス１０を有する第１１プリコーディング行列を含む、端末。
（項目９）
前記第１プリコーディング行列は次のように構成され、
【化２１８】
2016518751.tif 000023
前記第３プリコーディング行列は次のように構成され、
【化２１９】
2016518751.tif 000024
前記第９プリコーディング行列は次のように構成され、
【化２２０】
2016518751.tif 000025
前記第１１プリコーディング行列は次のように構成される、
【化２２１】
2016518751.tif 000026
項目８に記載の端末。
（項目１０）
前記サブサンプリングステップは、次の式を用いて前記４アンテナポート用のコードブックをサブサンプリングし、
【化２２２】
2016518751.tif 000027
前記ＩＰＭＩ２は、０乃至３のいずれかの値を有するプリコーディング行列のインデックスを表す、項目８に記載の端末。
（項目１１）
前記プロセッサは、前記１６個のプリコーディング行列のうち、実数値のみを含むプリコーディング行列を対象にサブサンプリングする、項目８に記載の端末。
（項目１２）
前記プロセッサは、前記１６個のプリコーディング行列のうち、ＢＰＳＫ（Ｂｉｎａｒｙ  Ｐｈａｓｅ  Ｓｈｉｆｔ  Ｋｅｙｉｎｇ）変調方法に対応するプリコーディング行列を対象にサブサンプリングする、項目８に記載の端末。
（項目１３）
前記プロセッサは、前記１６個のプリコーディング行列のうち、Ｘ−ｐｏｌ（ｃｒｏｓｓ  ｐｏｌａｒｉｚａｔｉｏｎ）アンテナに対応する値からなるプリコーディング行列を対象にサブサンプリングする、項目８に記載の端末。
（項目１４）
前記１６個のプリコーディング行列のうち、第２プリコーディング行列は次のように構成され、
【化２２３】
2016518751.tif 000028
第４プリコーディング行列は次のように構成され、
【化２２４】
2016518751.tif 000029
第５プリコーディング行列は次のように構成され、
【化２２５】
2016518751.tif 000030
第６プリコーディング行列は次のように構成され、
【化２２６】
2016518751.tif 000031
第７プリコーディング行列は次のように構成され、
【化２２７】
2016518751.tif 000032
第８プリコーディング行列は次のように構成され、
【化２２８】
2016518751.tif 000033
第１０プリコーディング行列は次のように構成され、
【化２２９】
2016518751.tif 000034
第１２プリコーディング行列は次のように構成され、
【化２３０】
2016518751.tif 000035
第１３プリコーディング行列は次のように構成され、
【化２３１】
2016518751.tif 000036
第１４プリコーディング行列は次のように構成され、
【化２３２】
2016518751.tif 000037
第１５プリコーディング行列は次のように構成され、
【化２３３】
2016518751.tif 000038
第１６プリコーディング行列は次のように構成される、
【化２３４】
2016518751.tif 000039
項目８に記載の端末。